(57)【特許請求の範囲】
【請求項１】
野生動物の侵入からの保護対象である保護地と前記保護地の外側とを隔て野生動物の前記保護地への侵入を抑止する動物侵入抑止柵であって、
前記動物侵入抑止柵は、前記保護地と前記保護地の外側とを隔てるように間隔をあけて立設された複数の支柱と、前記支柱間に取り付けられる侵入抑止部材と、を備え、
前記侵入抑止部材は、高さ方向に間隔を空けて隣接する前記支柱間に緊張して架け渡される複数の線材と、最下段の前記線材及び少なくとも１つの他の前記線材に取付部材を用いて取り付けられ、最下段の前記線材から前記保護地の外側の地面に沿い延長する網体と、を備え、
前記網体は、最下段の前記線材よりも上方の高さまで巻き上げ自在であり、
最下段の前記線材は、地面からの高さが１００ｍｍ以上３００ｍｍ以下の位置で前記支柱間に架け渡されていること
を特徴とする動物侵入抑止柵。
【請求項２】
前記網体は、１００ｍｍ未満の高さにおいて前記支柱や前記線材に固定されておらず、巻き上げ自在であること
を特徴とする請求項１記載の動物侵入抑止柵。
【請求項３】
前記取付部材は前記線材に対し取り外し可能に取り付けられていることを特徴とする請求項１又は２記載の動物侵入抑止柵。
【請求項４】
巻き上げられた前記網体の下端部を当該網体の網目に固定するための係止部材を備えることを特徴とする請求項１乃至３の何れか１項記載の動物侵入抑止柵。
【請求項５】
前記網体は隣接する前記支柱間の距離と同じ幅を有し、前記支柱間に１枚ずつ取り付けられていることを特徴とする請求項１乃至４の何れか１項記載の動物侵入抑止柵。
【請求項６】
隣接する前記支柱間の距離よりも短い幅を有する複数の前記網体が隣接する前記支柱間に、互いに端部を重ね合わせた状態で取り付けられていることを特徴とする請求項１乃至４の何れか１項記載の動物侵入抑止柵。
【請求項７】
野生動物の侵入からの保護対象である保護地と前記保護地の外側とを隔て野生動物の前記保護地への侵入を抑止する動物侵入抑止柵であって、
前記動物侵入抑止柵は、前記保護地と前記保護地の外側とを隔てるように間隔をあけて立設された複数の支柱と、前記支柱間に取り付けられる侵入抑止部材と、を備え、
前記侵入抑止部材は、高さ方向に間隔を空けて隣接する前記支柱間に緊張して架け渡される複数の線材と、最下段の前記線材及び少なくとも１つの他の前記線材に取付部材を用いて取り付けられ、最下段の前記線材から前記保護地の外側の地面に沿い延長する網体と、を備え、
最下段の前記線材は、地面からの高さが１００ｍｍ以上３００ｍｍ以下の位置で前記支柱間に架け渡され、
隣接する前記支柱間の距離よりも短い幅を有する複数の前記網体が隣接する前記支柱間に、互いに端部を重ね合わせた状態で取り付けられ、
互いに端部を重ね合わせた状態で取り付けられている複数の網体同士が重なり合う当該端部において連結部材を用いて連結されている
ことを特徴とする動物侵入抑止柵。
【請求項８】
互いに端部を重ねて取り付けられている複数の前記網体のうち、前記動物侵入抑止柵の延長方向に垂直な方向から見て前記支柱と重なっていない前記網体の少なくとも１つが、隣接する他の前記網体よりも前記保護地から離れた位置に取り付けられていることを特徴とする請求項６又は７記載の動物侵入抑止柵。
【請求項９】
前記網体は亀甲金網であり、撚り目が前記動物侵入抑止柵の延長方向と平行になるように配置されていることを特徴とする請求項１乃至８の何れか１項記載の動物侵入抑止柵。
【発明の詳細な説明】
【技術分野】
【０００１】
本発明は、野生動物が鉄道や道路、農地や林地等に侵入することを抑止する動物侵入抑止柵の技術に関する。
【背景技術】
【０００２】
近年、シカ科やイノシシ科等の野生動物が個体数を増やしており、この生息域を横断するように設けられた鉄道や道路、農地や林地等が設けられている敷地（以下「保護地」という。）に野生動物が侵入し、車両と衝突する事故や、農作物や植林の食害が頻繁に発生し問題となっている。
【０００３】
こうした問題に対応するため、保護地の周囲に動物侵入抑止柵を設置することが行われている。動物侵入抑止柵は、一般的に支柱と、支柱間に設けられた金属製又は樹脂製の網を備えて構成されていて、野生動物が保護地に入り込むのを防止する機能を有している。
【０００４】
ところで、動物侵入抑止柵の周囲が舗装されていない地面である場合、地面に雑草が繁殖するため、定期的に除草作業が必要となる。しかし、この除草作業を行う際に草刈機が用いられる場合、動物侵入抑止柵の網が作業の妨げになるとともに、草刈機の回転刃が網に接触しこれを破損することがある。
【０００５】
そこで、網が除草作業の妨げにならず、かつ回転刃の接触による網の破損を効果的に防止することのできる種々の動物侵入抑止柵が提案されている。
【０００６】
例えば、特許文献１には、複数の支柱に対して、ロープを通した網を、取付金具を用いて支柱間に架設されて構成される動物侵入抑止柵が開示されている。
【０００７】
この動物侵入抑止柵では、網の地際端部に架設してあるロープを緩め、ロープとともに網の地際端部を上部に持ち上げるとともに、このロープを支柱上部に取付金具を用いて固定することで、除草作業時に動物侵入抑止柵の下部に作業スペースを確保することができ、除草作業の容易化と、除草作業時の網の損傷防止が実現されている。
【先行技術文献】
【特許文献】
【０００８】
【特許文献１】特開２０１１-２３９７１２号公報
【発明の概要】
【発明が解決しようとする課題】
【０００９】
しかし、特許文献１に開示されている従来の動物侵入抑止柵では、上述したように網の地際端部を持ち上げる際にロープを緩める必要があるが、ロープが緩んだ状態では動物侵入抑止柵としての機能を発揮することができなくなってしまう。
【００１０】
そのため、特許文献１の動物侵入抑止柵では、通常時にはロープを緊張して野生動物の侵入を防ぐとともに、除草作業時にはロープを緩めて網を持ち上げ固定するとともに、除草作業終了後に再びロープを緊張させて野生動物の侵入を抑止できるようにする必要がある。
【００１１】
こうしたロープの弛緩と緊張を繰り返すことは、作業者にとって大変な労力を要するものであり、特に動物侵入抑止柵が数十メートル、数百メートルを超える長いスパンで形成されている場合には要する労力は膨大なものとなる。
【００１２】
また、動物侵入抑止柵が長いスパンで形成される場合には、除草作業時に網とロープの上げ下ろしを人力で行うことは、網とロープの総延長や総重量の面から非常に大きな労力を要するものとなる。
【００１３】
更に、作業者が動物侵入抑止柵の外部から保護地内に立ち入る必要が生じた場合にも同様に網とロープを持ち上げ作業者が通行するスペースを確保する必要がある。この場合も、従来の動物侵入抑止柵ではロープを弛緩し網とロープを広範囲に亘り持ち上げるとともに、立ち入りが終了した後に網とロープを下ろしロープを再び緊張する作業が必要となり、膨大な労力を要する。
【００１４】
そこで、本発明は、上述した問題点に鑑みて案出されたものであり、野生動物の侵入抑止効果を維持しつつ、除草作業時に容易に作業スペースを確保し網の損傷を効果的に防止するとともに、任意の個所において作業者の通用スペースも容易に確保することのできる動物侵入抑止柵を提供することを目的とする。
【課題を解決するための手段】
【００１５】
本発明者は、上述した課題を解決するために、野生動物の侵入を抑止する機能を備えつつ、仮に野生動物が侵入した場合、緊急脱出が容易であり、かつ脱出時に柵が損傷しても保護地側に破損物が侵入しない動物侵入抑止柵を発明した。
【００１６】
第１発明に係る動物侵入抑止柵は、野生動物の侵入からの保護対象である保護地と前記保護地の外側とを隔て野生動物の前記保護地への侵入を抑止する動物侵入抑止柵であって、前記動物侵入抑止柵は、前記保護地と前記保護地の外側とを隔てるように間隔をあけて立設された複数の支柱と、前記支柱間に取り付けられる侵入抑止部材と、を備え、前記侵入抑止部材は、高さ方向に間隔を空けて隣接する前記支柱間に緊張して架け渡される複数の線材と、最下段の前記線材及び少なくとも１つの他の前記線材に取付部材を用いて取り付けられ、最下段の前記線材から前記保護地の外側の地面に沿い延長する網体と、を備え、前記網体は、最下段の前記線材よりも上方の高さまで巻き上げ自在であり、最下段の前記線材は、地面からの高さが１００ｍｍ以上３００ｍｍ以下の位置で前記支柱間に架け渡されていることを特徴とする。
【００１７】
第２発明に係る動物侵入抑止柵は、第１発明において、前記網体は、１００ｍｍ未満の高さにおいて前記支柱や前記線材に固定されておらず、巻き上げ自在であることを特徴とする。
第３発明に係る動物侵入抑止柵は、第１又は第２発明において、前記取付部材は前記線材に対し取り外し可能に取り付けられていることを特徴とする。
第４発明に係る動物侵入抑止柵は、第１乃至第３発明の何れか１つにおいて、巻き上げられた前記網体の下端部を当該網体の網目に固定するための係止部材を備えることを特徴とする。
【００１８】
第５発明に係る動物侵入抑止柵は、第１乃至第４発明の何れか１つにおいて、前記網体は隣接する前記支柱間の距離と同じ幅を有し、前記支柱間に１枚ずつ取り付けられていることを特徴とする。
【００１９】
第６発明に係る動物侵入抑止柵は、第１乃至第４発明の何れか１つにおいて、隣接する前記支柱間の距離よりも短い幅を有する複数の前記網体が隣接する前記支柱間に、互いに端部を重ね合わせた状態で取り付けられていることを特徴とする。
【００２０】
第７発明に係る動物侵入抑止柵は、野生動物の侵入からの保護対象である保護地と前記保護地の外側とを隔て野生動物の前記保護地への侵入を抑止する動物侵入抑止柵であって、前記動物侵入抑止柵は、前記保護地と前記保護地の外側とを隔てるように間隔をあけて立設された複数の支柱と、前記支柱間に取り付けられる侵入抑止部材と、を備え、前記侵入抑止部材は、高さ方向に間隔を空けて隣接する前記支柱間に緊張して架け渡される複数の線材と、最下段の前記線材及び少なくとも１つの他の前記線材に取付部材を用いて取り付けられ、最下段の前記線材から前記保護地の外側の地面に沿い延長する網体と、を備え、最下段の前記線材は、地面からの高さが１００ｍｍ以上３００ｍｍ以下の位置で前記支柱間に架け渡され、隣接する前記支柱間の距離よりも短い幅を有する複数の前記網体が隣接する前記支柱間に、互いに端部を重ね合わせた状態で取り付けられ、互いに端部を重ね合わせた状態で取り付けられている複数の網体同士が重なり合う当該端部において連結部材を用いて連結されていることを特徴とする。
【００２１】
第８発明に係る動物侵入抑止柵は、第６又は第７発明において、互いに端部を重ねて取り付けられている複数の前記網体のうち、前記動物侵入抑止柵の延長方向に垂直な方向から見て前記支柱と重なっていない前記網体の少なくとも１つが、隣接する他の前記網体よりも前記保護地から離れた位置に取り付けられていることを特徴とする。
【００２２】
第９発明に係る動物侵入抑止柵は、第１乃至第８発明の何れか１つにおいて、前記網体は亀甲金網であり、撚り目が前記動物侵入抑止柵の延長方向と平行になるように配置されていることを特徴とする。
【発明の効果】
【００２３】
上述した構成からなる本発明によれば、野生動物の侵入を抑止する機能を備えつつ、仮に野生動物が侵入した場合、緊急脱出が容易であり、かつ脱出時に柵が損傷しても路側に破損物が侵入することを効果的に防止することが可能となる。
【図面の簡単な説明】
【００２４】
【図１】実施形態に係る動物侵入抑止柵が設置されている状態を示す斜視図である。
【図２】実施形態に係る動物侵入抑止柵を示す斜視図である。
【図３】実施形態に係る動物侵入抑止柵を示す側面図である。
【図４】動物侵入抑止柵を構成する支柱を示す斜視図である。
【図５】図４の支柱の上部拡大斜視図である。
【図６】図４の支柱の下部拡大斜視図である。
【図７】図４の支柱を構成する支柱本体を示す斜視図である。
【図８】図７の支柱本体の側面図である。
【図９】図４の支柱を構成する支柱カバーを示す斜視図である。
【図１０】図９の支柱カバーの側面図である。
【図１１】支柱本体に線材が掛け渡される状態を示す部分拡大斜視図である。
【図１２】ワイヤが掛け渡された支柱本体に支柱カバーが当接した状態を示す部分拡大斜視図である。
【図１３】図１２の状態から更にボルトとナットによる固定が行われた状態を示す部分拡大斜視図である。
【図１４】ワイヤの端部が固定される態様を示す正面図である。
【図１５】動物侵入抑止柵の亀甲金網の下端部を巻き上げた状態を示す斜視図である。
【図１６】動物侵入抑止柵の亀甲金網の下端部を巻き上げた状態を示す正面図である。
【図１７】動物侵入抑止柵の亀甲金網の下端部を巻き上げた状態を示す側面図である。
【図１８】動物侵入抑止柵の特定の亀甲金網について全体を巻き上げ出入口を形成した状態を示す斜視図である。
【図１９】動物侵入抑止柵の特定の亀甲金網について全体を巻き上げ出入口を形成した状態を示す正面図である。
【図２０】動物侵入抑止柵の特定の亀甲金網について全体を巻き上げ出入口を形成した状態を示す側面図である。
【図２１】本実施形態に係る動物侵入抑止柵の対象動物の一例であるイノシシを示す図である。
【図２２】本実施形態に係る動物侵入抑止柵の対象動物の一例であるシカを示す図である。
【図２３】図２２のシカの頭部の各箇所の長さを示した図である。
【図２４】実施形態に係る動物侵入抑止柵による保護地へのシカの侵入抑止効果と保護地からの脱出の容易さを説明する図である。
【発明を実施するための形態】
【００２５】
以下、本発明の実施形態に係る動物侵入抑止柵について詳細に説明する。
【００２６】
図１は、実施形態に係る動物侵入抑止柵１が設置されている状態を示す斜視図である。
【００２７】
実施形態に係る動物侵入抑止柵１は、図１に示すように、野生動物の侵入から保護する対象となる鉄道や道路、農地や林地が設けられている保護地（−Ｘ方向）と、保護地以外の敷地（＋Ｘ方向）とを隔てるために用いられている。なお、上記±Ｘ方向の他、動物侵入抑止柵１の延展方向を±Ｙ方向（特に図１紙面左方向を便宜的に＋Ｙ方向とする）、地面Ｇに対して垂直な方向であって動物侵入抑止柵１が立設される方向を＋Ｚ方向とする。
【００２８】
野生動物は、例えば、シカ科では、特にシカ属のニホンジカに分類される、エゾシカ、ホンシュウジカ、キュウシュウジカ、マゲシカ、ヤクシカ、ケラマジカ、ツシマジカ等が該当する。また、ウシ科では、特にカモシカ属に分類されるニホンカモシカ等やウシ属に分類される各種ウシ等が該当する。更に、雑食性の動物である、イノシシ科のニホンイノシシやリュウキュウイノシシ等も該当する。
【００２９】
保護地は、例えば鉄道や道路の場合、列車の通過する線路や自動車が通過する道路等を有する敷地を想定している。また、農地や林地の場合、農作物の作付けや植林が施された敷地を想定している。このため、保護地は、動物侵入抑止柵１を境界にして線路や自動車用道路等の直線的に延長された敷地、農作物が作付けされた畑や植林が施された敷地である。
【００３０】
保護地以外の敷地は、動物侵入抑止柵１を境界にして線路や自動車用道路、畑や植林を有する保護地と反対側に位置する敷地である。保護地以外の敷地は、例えば、野生動物の生息地を想定している。しかし、これに限定されることなく、保護地位外の敷地は、動物侵入抑止柵１を境界にして保護地以外の敷地を全て含むものとする。
【００３１】
図２は、実施形態に係る動物侵入抑止柵１を示す斜視図である。図３は、実施形態に係る動物侵入抑止柵１を示す側面図である。
【００３２】
動物侵入抑止柵１は、間隔をあけて配置された支柱１１と、これらの支柱１１に架け渡された３本の線材であるワイヤ１２ａ、１２ｂ、１２ｃと、中間部及び最下部にあるワイヤ１２ｂ、１２ｃに取り付けられた網体である亀甲金網１３と、亀甲金網１３をワイヤ１２ｂ、１２ｃに連結する第１連結コイル３１と、隣接する亀甲金網１３同士を連結する第２連結コイル３２とを主な構成部材として構成されている。この動物侵入抑止柵１は、傾斜地である地面Ｇに対して垂直に設けられている。
【００３３】
上述した動物侵入抑止柵１において、地面Ｇから中央部にあるワイヤ１２ｂまでの高さをＨ１、最下部にあるワイヤ１２ｃまでの高さをＨ２、最上部にあるワイヤ１２ａまでの高さをＨ３とする。また、ワイヤ１２ａとワイヤ１２ｂとの間の距離をＨ４とする。
【００３４】
図４は、実施形態に係る動物侵入抑止柵１を構成する支柱１１を示す斜視図である。図５は、図４の支柱１１の上部拡大斜視図である。図６は、図４の支柱１１の下部拡大斜視図である。
【００３５】
支柱１１は、地面に立設される支柱本体１１１と、支柱本体１１１の下部に連続して設けられた基礎杭１１２と、支柱本体１１１に取り付け固定される支柱カバー１１３とにより主に構成されている。支柱１１が地面Ｇに立設される際には、保護地の外側（＋Ｘ方向）に支柱カバー１１３を向けた状態で立設される。
【００３６】
図７は、図４の支柱を構成する支柱本体１１１を示す斜視図である。図８は、図７の支柱本体１１１の側面図である。
【００３７】
支柱本体１１１は、底部１１１ｇと、底部１１１ｇより垂直に立ち上がり互いに垂直となる位置関係で連続しているウェブ１１１ｅ及びフランジ１１１ｆとにより構成される断面Ｌ型の鋼材である。
【００３８】
底部１１１ｇは略正方形の板状部材であり、中心部分にはボルト締結用の孔部１１１ｄが設けられている。この底部１１１ｇには、地面Ｇに打設された基礎杭１１２の上部に設けられたボルト（不図示）が挿通され、底部１１１ｇ側からワッシャ（不図示）を介してナットＮ２が螺合されることにより底部１１１ｇと基礎杭１１２とが固定され、支柱１１の地面Ｇへの立設が行われる。この底部１１１ｇから垂直に立ち上がるようにして、ウェブ１１１ｅとフランジ１１１ｆとが、互いに垂直となるように設けられている。
【００３９】
ウェブ１１１ｅには、所定の間隔を空けて、実際に動物侵入抑止柵１が設置された状態における水平方向（−Ｘ方向）に伸展して設けられた水平切欠部１１１ａと、切欠部１１１ａに連続して鉛直方向（−Ｚ方向）に設けられた鉛直切欠部１１１ｂが形成されている。また、ウェブ１１１ｅには、支柱カバー１１３とのボルト締結用の孔部１１１ｃが設けられている。
【００４０】
水平切欠部１１１ａ及び鉛直切欠部１１１ｂの開口径は、ワイヤ１２ａ、１２ｂ、１２ｃを挿通可能な径となっている。
【００４１】
フランジ１１１ｆは、底部１１１ｇ及びウェブ１１１ｅに対して垂直に設けられた長板形状の構成であり、ウェブ１１１ｅとともに支柱本体１１１に機械的強度を付与している。
【００４２】
図９は、図４の支柱を構成する支柱カバー１１３を示す斜視図である。図１０は、図９の支柱カバー１１３の側面図である。
【００４３】
支柱カバー１１３は、長板状のウェブ１１３ｅと、ウェブ１１３ｅに対して垂直に連続して設けられたフランジ１１３ｆにより構成される断面Ｌ型の鋼材である。
【００４４】
ウェブ１１３ｅには、矩形の切欠部１１３ａが所定の間隔をあけて複数設けられている。切欠部１１３ａの上下方向（±Ｚ方向）の幅は、支柱本体１１１のウェブ１１１ｅに形成された鉛直切欠部１１１ｂの長手方向の長さよりも短くなっていて、切欠部１１３ａ間の間隔は、鉛直切欠部１１１ｂ間の間隔と同一の間隔となっている。
【００４５】
また、ウェブ１１３ｅには、支柱本体１１１とのボルト締結に用いられる複数の孔部１１３ｃが設けられている。孔部１１３ｃ間の間隔は、支柱本体１１１のウェブ１１１ｅに設けられた孔部１１１ｃ間の間隔と同一のものとなっている。
【００４６】
フランジ１１３ｆはウェブ１１３ｅよりも幅が狭くなっている板状の部材である。
【００４７】
図１〜図３に戻り、亀甲金網１３は、鋼線である線材をねじり合わせて六角形の網目を形成した網体であり、ビニール被覆線、亜鉛めっき鉄線、ステンレス線等を用いて形成されている。亀甲金網１３は、工事の際に取り扱いが容易であり、鋼線の一部が破断しても裂け目が全体に広がることがないという利点がある。
【００４８】
亀甲金網１３は、線材同士の撚り目を水平方向（地面Ｇと平行な方向）に向けて配置されている。亀甲金網１３は、この撚り目が回転軸となることで、網目同士が所定の範囲回動することができるため、亀甲金網１３を巻いた状態とすることができる。
【００４９】
亀甲金網１３は、第１連結コイル３１を用いてワイヤ１２ｂ、１２ｃに取り付けられている。また、隣接する亀甲金網１３同士は、互いの幅方向（±Ｙ方向）の端部にある１マス分の網目を重ね合わせて配置されている。そして、隣接する亀甲金網１３は、ワイヤ１２ｂ、１２ｃ間であってこの重ね合わさせている網目の部分において、第２連結コイル３２により互いに固定されている。
【００５０】
亀甲金網１３の幅及び用いられる枚数は、隣接する２つの支柱１１間に架け渡せる範囲で適宜調節することができる。本実施形態においては、支柱１１間に、それぞれ支柱１１間の距離の３分の１よりもやや広い幅を有する３枚の亀甲金網が、それぞれの端部において互いに１マス分ずつ網目を重ね合わせた状態で、隣接する２つの支柱１１間に隙間なく架け渡されている。
【００５１】
亀甲金網１３の縦方向の長さは、ワイヤ１２ｂ及びワイヤ１２ｃに取り付けた状態において、亀甲金網１３がワイヤ１２ｃから更に延長し、地面Ｇに沿い広がる程度の長さとなっている。
【００５２】
また、亀甲金網１３の１枚当たりの重量は、作業者が１人で持ち上げられる程度の重量であることが好ましい。このような重量とすることで、動物侵入抑止柵１の設置作業を少人数で容易かつ効率的に行うことができる。
【００５３】
なお、本実施形態においては亀甲金網１３が用いられているが、本発明においてはこれに限らず、綿や樹脂製の紐より形成される網体等、作業者が一人でも持ち運び及び設置作業ができる程度に軽量で、かつ上方（＋Ｚ方向）に巻き上げられるものであれば好適に用いることができる。
【００５４】
次に、上述した動物侵入抑止柵１の設置方法について説明する。
【００５５】
まず、動物侵入抑止柵１の設置場所である地面Ｇに、複数の基礎杭１１２が所定の間隔を空けて打設される。
【００５６】
次に、地面Ｇに打設された基礎杭１１２の上部から突出するボルトが支柱本体１１１の底部１１１ｇに形成されている孔部１１１ｄに挿入されるようにして、支柱本体１１１が地面に垂直に載置される。このとき支柱本体１１１は、水平切欠部１１１ａが地面Ｇの下方、すなわち保護地側と反対側に向くようにして載置される。
【００５７】
次に、この状態で基礎杭１１２と支柱本体１１１とがボルト締結される。このボルト締結は、支柱本体１１１の底部の孔部１１１ｇから突出している基礎杭１１２のボルトに対して、支柱本体１１１側からワッシャとナットとが嵌め込まれることで行われる。
【００５８】
次に、図１１に示すように、複数の支柱１１の支柱本体１１１の水平切欠部１１１ａから鉛直切欠部１１１ｂに、ワイヤ１２ａ、１２ｂ、１２ｃが挿通される。図１１は、支柱本体１１１にワイヤが掛け渡される状態を示す部分拡大斜視図である。
【００５９】
本実施形態においては、支柱本体１１１の３つの水平切欠部１１１ｂに対して、ワイヤ１２ａ、１２ｂ、１２ｃがそれぞれ挿通され、連続する複数の支柱本体１１１間にワイヤ１２ａ、１２ｂ、１２ｃが掛け渡される（図２参照）。
【００６０】
このとき、地面Ｇから見てワイヤ１２ｃの高さはＨ２、ワイヤ１２ｂの高さはＨ１、ワイヤ１２ａの高さはＨ３となっている。また、ワイヤ１２ａ−１２ｂ間の距離はＨ４となっている。
【００６１】
次に、支柱本体１１１に支柱カバー１１３が取り付けられる。図１２は、線材が掛け渡された支柱本体１１１に支柱カバー１１３が当接した状態を示す部分拡大斜視図である。
【００６２】
この支柱カバー１１３の取り付けは、各支柱本体１１１に掛け渡されたワイヤ１２ａ、１２ｂ、１２ｃを支柱本体１１１と挟み込むように、地面Ｇの斜面下方側から支柱カバー１１３を当接させることで行われる。
【００６３】
支柱カバー１１３の支柱本体１１１への当接は、支柱カバー１１３の切欠部１１３ａにワイヤ１２ａ、１２ｂ、１２ｃが挿通されるようにして行われる。こうして、支柱本体１１１の鉛直切欠部１１１ｂと支柱カバー１１３の切欠部１１３ａにより、ワイヤ１２ａ、１２ｂ、１２ｃが把持された状態となる。
【００６４】
また、この状態では、支柱本体１１１の孔部１１１ｃと支柱カバー１１３の孔部１１３ｃとが対向する位置にあり、これらの孔部１１１ｃ、１１３ｃが連通した状態となる。
【００６５】
次に、図１３に示すように、この状態で支柱本体１１１と支柱カバー１１３とがボルト締結され固定される。図１３は、図１２の状態から更にボルトＢ１、Ｂ２、ワッシャＷ１、Ｗ２及びナットＮ１、Ｎ２による固定が行われた状態を示す部分拡大斜視図である。
【００６６】
連通した状態にある支柱本体１１１の上下に形成されている２つの孔部１１１ｃとこれらに対向する位置にある支柱カバー１１３の孔部１１３ｃにそれぞれワッシャＷ１、Ｗ２を介してボルトＢ１、Ｂ２が挿通される。そして、挿通されたボルトＢ１、Ｂ２にそれぞれナットＮ１、Ｎ２が螺合されて、支柱本体１１１と支柱カバー１１３との固定が行われる。
【００６７】
次に、ワイヤ１２ａ、１２ｂ、１２ｃの端部が地面Ｇに固定される。図１４は、ワイヤ１２ａ、１２ｂ、１２ｃの端部が固定される態様を示す正面図である。ワイヤ１２ａ、１２ｂ、１２ｃの端部は、ターンバックル５を介して地面に打設された固定具６に固定される。
【００６８】
ターンバックル５の一端部に設けられた接続部５１は、ワイヤ１２ａ、１２ｂ、１２ｃの端部に固定される。ターンバックル５の他端部５２はリング状又はフック状になっていて、地面に打設された固定具６の固定具本体６１上面に設けられた環状部６２に固定されている。
【００６９】
なお、本実施形態においては図１４に示すようなターンバックル５を用いてワイヤ１２ａ、１２ｂ、１２ｃの端部の固定を行っているが、本発明においてはこれに限らず、他の形状のターンバックル５を用いてもよく、また、ターンバックル５以外の任意の緊張手段を用いて固定を行ってもよい。
【００７０】
また、ターンバックル５を介した固定具６へのワイヤ１２ａ、１２ｂ、１２ｃの固定に先立ち、各ワイヤ１２ａ、１２ｂ、１２ｃの緊張が行われてもよい。この場合、例えば事前の緊張用に別途固定具６を地面に設置し、この固定具６を支点としてレバーブロック（登録商標）等の任意の緊張手段を用いて各ワイヤ１２ａ、１２ｂ、１２ｃの緊張を行ってもよい。
【００７１】
こうした事前の緊張は、ワイヤ１２ａ、１２ｂ、１２ｃの長さが数百メートルに及ぶ場合にはターンバックル５のみでは十分な緊張を行えないことから特に有効な作業となる。
【００７２】
上述した工程を経て、支柱本体１１１と支柱カバー１１３とが固定され、支柱１１が完成するとともに、この支柱１１にワイヤ１２ａ、１２ｂ、１２ｃが掛け渡された状態が形成される。
【００７３】
次に、支柱１１間に掛け渡されたワイヤ１２ａ、１２ｂ、１２ｃのうち、中段にあるワイヤ１２ｂ及び最下部にあるワイヤ１２ｃに、亀甲金網１３が取り付けられる。本実施形態においては、３枚の亀甲金網１３が、隣接する支柱１１間に、隣接する亀甲金網１３の端部にある網目を１マス分ずつ重ね合わせた状態で取り付けられる。
【００７４】
このとき、３枚の亀甲金網１３のうち中央部分に位置する亀甲金網１３は、他の亀甲金網１３よりも保護地から離れた位置において他の２枚の亀甲金網１３にその端部を重ねた状態で取り付けられる。
【００７５】
亀甲金網１３のワイヤ１２ｂ、１２ｃへの取り付けは、本実施形態においては取付部材としてのコイル部材３１を用いて行われる。コイル部材３１が亀甲金網１３のマス目とワイヤ１２ｂ、１２ｃとを縫うようにしてこれらに螺合されることで、亀甲金網１３のワイヤ１２ｂ、１２ｃへの取り付けが行われる。
【００７６】
更に、隣接する亀甲金網１３同士についても、互いに重なり合うマス目の部分であってワイヤ１２ｂ、１２ｃ間に位置する部分が、連結部材としてのコイル部材３２により連結される。このコイル部材３２は、隣接する亀甲金網１３同士が重なり合う部分のマス目を縫うようにして螺合されることで隣接する２つの亀甲金網１３同士の隙間の無い連結を行う。
【００７７】
このとき、コイル部材３２の上下に収縮する弾性力により亀甲金網１３のマス目を保持して、コイル部材３２の脱落が防止されている。
【００７８】
このように隣接する亀甲金網１３同士が端部を重ねて連結されることで、長いスパンでワイヤ１２ｂ、１２ｃが架け渡された場合に生じるワイヤ１２ｂ、１２ｃのたるみに起因する亀甲金網１３間の隙間の発生を防止し、野生動物が当該隙間から保護地に進入することを効果的に防止することができる。
【００７９】
上述したコイル部材３１、３２は、簡易な構成を備え、簡単な取付作業により亀甲金網１３とワイヤ１２ｂ、１２ｃ、又は亀甲金網１３同士を連結することができる。また、これらのコイル部材３１、３２は取り外し作業も容易に行うことができる。
【００８０】
こうしてワイヤ１２ｂ、１２ｃに亀甲金網１３が取り付けられた状態において、亀甲金網１３の下側の部分は、地面Ｇに垂れた状態となる。
【００８１】
なお、鉛直切欠部１１１ｂは、支柱本体１１１を傾斜させて地面Ｇに設置した状態でワイヤ１２ａ、１２ｂ、１２ｃを脱落させずに仮置きできる構成である。
【００８２】
そのため、地面Ｇに長い延長に渡り動物侵入抑止柵１を設置する際に、支柱カバー１１３の取り付けをそれぞれの支柱１１を設置する都度行うことなく、先行して多数の支柱本体１１１を地面Ｇに設置し、ワイヤ１２ａ、１２ｂ、１２ｃを鉛直切欠部１１１ｂに仮置きさせることができる。
【００８３】
これにより、その後で多数の支柱カバー１１３の取り付けを連続しておこなうことができ、斜面での施工性がより良好なものとなる。
【００８４】
なお、鉛直切欠部１１１ｂは、支柱本体１１１を地面Ｇに立設して傾けた状態で、ワイヤ１２ａ、１２ｂ、１２ｃが脱落せず仮置きできればよい。そのため、本実施形態においては切欠きが鉛直方向に設けられていて鉛直切欠部１１１ｂとなっているが、本発明においてはこれに限らず、水平切欠部１１１ａに連続して鉛直方向以外の方向に延びる態様であってもよい。
【００８５】
次に、上述した構成を有する動物侵入抑止柵１が奏する効果について説明する。まず、除草作業時に容易に作業スペースを確保し亀甲金網１３の損傷を防止する効果について説明する。
【００８６】
図１５は、動物侵入抑止柵の亀甲金網の下端部を巻き上げた状態を示す斜視図である。図１６は、動物侵入抑止柵の亀甲金網の下端部を巻き上げた状態を示す正面図である。図１７は、動物侵入抑止柵の亀甲金網の下端部を巻き上げた状態を示す側面図である。
【００８７】
動物侵入抑止柵１の亀甲金網１３は、上述したように撚り目を中心として所定の範囲の回動可能であるため、全体として撚り目を軸として巻いた状態とすることができる。
【００８８】
そのため、図１５〜図１７に示すように、ワイヤ１２ｃを緊張させたまま亀甲金網１３のワイヤ１２ｃよりも下側（−Ｚ方向）に位置する部分を巻き上げることができ、亀甲金網１３の下方に高さＨ２のスペースを確保することができる。この高さＨ２は、１００ｍｍ以上３００ｍｍ以下となっている。
【００８９】
巻き上げた亀甲金網１３の端部は、係止部材７を用いて上方の網目に固定される。係止部材７としては、クリップやカラビナ等、取り付けと取り外しを容易に行うことのできるものであれば種々のものを用いることができる。これにより亀甲金網１３を巻き上げた状態を保つことができる。
【００９０】
亀甲金網１３の下部に形成されたスペースの高さＨ２が１００ｍｍ以上あることで、除草作業時に草刈機の回転刃が亀甲金網１３に接触し亀甲金網１３が破損することを効果的に防止することができる。
【００９１】
また、高さＨ２が３００ｍｍ以下であることで、野生動物としてのイノシシ２’（図２１参照）の侵入を効果的に防止することができる。このイノシシ２’の侵入防止効果についての詳細は図２１を用いて後述する。
【００９２】
次に、動物侵入抑止柵１の任意の個所において作業者の通用スペースを確保できる効果について説明する。
【００９３】
図１８は、動物侵入抑止柵１の特定の亀甲金網１３について全体を巻き上げ出入口を形成した状態を示す斜視図である。図１９は、動物侵入抑止柵１の特定の亀甲金網１３について全体を巻き上げ出入口を形成した状態を示す正面図である。図２０は、動物侵入抑止柵１の特定の亀甲金網１３について全体を巻き上げ出入口を形成した状態を示す側面図である。
【００９４】
図１８〜図２０に示すように、動物侵入抑止柵１の亀甲金網１３は、図１５〜図１７に示す状態よりも更に巻き上げられ、高さＨ１の位置で固定されている。
【００９５】
上述したように、支柱１１間に互いに端部を重ね合わせた状態で取り付けられている３枚の亀甲金網１３のうち、中央にある亀甲金網１３は、他の２つの亀甲金網よりも保護地の外部に位置している。そのため、図１８〜図２０に示すように、ワイヤ１２ａ、１２ｂ、１２ｃの緊張状態を保ちつつ、中央にある亀甲金網１３のみを保護地の外側に向けて巻き上げることができる。
【００９６】
このとき、巻き上げられる対象となる亀甲金網１３をワイヤ１２ｃに固定しているコイル部材３１が取り外されるが、この取り外しはコイル部材３１を回転させるのみで容易に行うことができる。また、亀甲金網１３同士の連結に用いられているコイル部材３２も、回転させるのみで容易に亀甲金網１３から取り外される。
【００９７】
そして、中央にある亀甲金網１３が高さＨ１に巻き上げられた状態で、その端部が係止部材７を用いてワイヤ１２ａに固定されることで、当該巻き上げられた状態が維持される。この高さＨ１は、作業者が通行可能な高さとなっているため、亀甲金網１３が巻き上げられた個所は、作業者の通用スペースとすることができる。
【００９８】
また、作業者による作業が終了し、動物侵入抑止柵１を図１に示す当初の状態に戻す場合には、まず係止部材７が取り外され、亀甲金網１３が地面Ｇまで下ろされる。
【００９９】
そして、下ろした亀甲金網１３をコイル部材３１を用いてワイヤ１２ｃに連結固定するとともに、隣接する亀甲金網１３間をコイル部材３２で再度連結される。このとき、コイル部材３２が亀甲金網１３から脱落しないように、コイル部材３２の上下に収縮する弾性力により亀甲金網１３のマス目を保持する。
【０１００】
このように、本発明に係る動物侵入抑止柵１によると、ワイヤ１２ａ、１２ｂ、１２ｃの緊張状態を維持したまま作業者の通用スペースを容易かつ迅速に形成することができ、作業終了後にも容易かつ迅速に当初状態に戻すことができる。
【０１０１】
次に、野生動物の侵入抑止効果について説明する。まず、野生動物としてのイノシシ２’の侵入抑止効果について説明する。
【０１０２】
図２１は、本実施形態に係る動物侵入抑止柵１の対象動物の一例であるイノシシ２’を示す図である。
【０１０３】
イノシシ２’は、強い突進力を有する野生動物である。そのため、保護地の外部から動物侵入抑止柵１を通過して保護地内に進入しようとする際にも、直進して動物侵入抑止柵１に衝突してこれを通過しようとすることがある。
【０１０４】
そのため、イノシシ２’の肩高であり鼻の位置でもある高さ２ｅよりも低い位置に障害物があれば、イノシシ２’はその直進動作が妨げられることになる。このイノシシ２’の肩高２ｅは、日本国内において広く分布しているニホンイノシシの場合、成獣は６００ｍｍ〜９００ｍｍ程度の高さとなっている。
【０１０５】
そこで、本実施形態に係る動物侵入抑止柵１では、最下段に緊張して設けられているワイヤ１２ｃの高さＨ２が肩高６００ｍｍのイノシシの半分以下である３００ｍｍ以下となっている。このようにワイヤ１２ｃの高さＨ２が３００ｍｍ以下とされ、亀甲金網１３の巻き上げの有無に関わらず常に緊張した状態とされていることで、十分な反力が得られてイノシシ２’の直進動作を妨げ、イノシシ２’の保護地内への侵入を効果的に防止することができる。
【０１０６】
次に、野生動物としてのシカ２の侵入抑止効果について説明する。図２２は、本実施形態に係る動物侵入抑止柵の対象動物の一例であるシカを示す図である。図２３は、図２２のシカの頭部の各箇所の長さを示した図である。
【０１０７】
図２２及び図２３に示すように、シカ２は、肩高が２ａ、頭部の高さが２ｂ、頭部の長さが２ｃ、頭部の幅が２ｄとなっている。
【０１０８】
そして、図２、図３及び図２４に示すように、動物侵入抑止柵１は、地面Ｇからこの最上部にあるワイヤ１２ａまでの高さがＨ３となっているとともに、ワイヤ１２ａと２段目のワイヤ１２ｂとの間の距離がＨ４となっている。
【０１０９】
下草を食べるシカ２は、その性質上、進行方向に柵等の障害物がある場合には、柵を迂回、もしくは跨ぐか潜ろうとする。たとえ跳躍により飛び越えることが可能な高さの柵であっても、柵の先に餌があったり、後から追い立てられたりする等の跳躍を誘発する要因が無ければ、跳躍はほとんど行われない。
【０１１０】
そして、跳躍の誘発要因が無く、柵を跨いだり潜ったりすることができない場合には、シカ２は引き返すか柵に沿って移動を行う。
【０１１１】
そこで、本実施形態に係る動物侵入抑止柵１を道路や鉄道に沿って設置する場合では、ワイヤ１２ａは地面からの高さがシカ２の肩高２ａよりも高いＨ３となるよう設けられている。そのため、シカ２はワイヤ１２ａを跨ぐことができない。
【０１１２】
このように、本実施形態に係る動物侵入抑止柵１によると、シカ２がこれを跨ぎ保護地に侵入することを効果的に抑止することができる。
【０１１３】
また、この侵入抑止効果は、動物侵入抑止柵１が地面Ｇに立設されることで更に高めることができる。
【０１１４】
図２４は、実施形態に係る動物侵入抑止柵１による保護地へのシカの侵入抑止効果と保護地からの脱出の容易さを説明する図である。
【０１１５】
図２４に示すように、動物侵入抑止柵１から見て地面Ｇの下方、すなわち保護地の外側にいるシカ２は、動物侵入抑止柵１のワイヤ１２ａを飛び越えるにあたり、斜面の傾斜分も加味した高さＨ５を跳躍しなければならない。
【０１１６】
このＨ５は、通常シカ２が跳躍可能な高さよりも高く設定されているＨ３、すなわち、地面Ｇからワイヤ１２ａまでの高さよりも高くなっている。そのため、シカ２が地面Ｇの下方から動物侵入抑止柵１を飛び越え保護地に侵入することを効果的に防止することができる。
【０１１７】
このように、本実施形態に係る動物侵入抑止柵１では、動物侵入抑止柵１の高さを従来の柵よりも低く保つことができ、製造及び設置のコストと作業時の労力とを削減することができる。
【０１１８】
更に、本実施形態に係る動物侵入抑止柵１では、シカ２の潜り込みの対策として、亀甲金網１３が地面Ｇに対して十分な長さ垂れ広がるとともに、亀甲金網１３が最下段のワイヤ１２ｃに固定されている。
【０１１９】
シカ２は、障害物等への潜り込みを行う場合、まず、首を下げて鼻先を障害物の下に潜り込ませ、その状態で首を持ち上げることにより障害物を浮き上がらせ障害物の下に潜り込みの可能なスペースを形成する。そして、シカ２はその状態のまま体勢を低くし、このスペースに鼻先から頭部、首と順に潜り込んでいくことで障害物への潜り込みを行う。
【０１２０】
しかし、本実施形態に係る動物侵入抑止柵１では、シカ２が地面に垂れ下がる亀甲金網１３に鼻先を潜り込ませ首を持ち上げ亀甲金網１３の端部をめくり上げようとしても全てめくり上げることができない程度に十分な長さ地面Ｇに垂れ広がるよう構成されている。
【０１２１】
具体的には、亀甲金網１３は、シカ２がその鼻先を潜り込ませたときにめくり上がる長さ、すなわち、シカ２の頭部の高さ２ｂと頭部の長さ２ｃとの和よりも十分に長く地面Ｇに垂れ広がるよう構成されている。
【０１２２】
そのため、シカ２は、亀甲金網１３の下に鼻先を潜り込ませた場合でも、全てをめくり上げることができず、更に頭部や首を潜り込ませようとはしない。
【０１２３】
更に、上述したように亀甲金網１３は地面Ｇに近い位置においてワイヤ１２ｃに固定されている。そのため、もしシカ２が地面Ｇに垂れ広がる亀甲金網１３の下方に潜り込んだとしても、そこから更に保護地に進入することはできず、シカ２の潜り込みをより効果的に抑止できる。
【０１２４】
このように、本実施形態における動物侵入抑止柵１では、シカ２の潜り込みも効果的に防止し、保護地への侵入を抑止することができる。
【０１２５】
次に、シカ２の保護地からの脱出を促進する効果について説明する。
【０１２６】
上述したように、シカ２は、跳躍により飛び越えることが可能な高さの柵であっても、柵の先に餌があったり、後から追い立てられたりする等の跳躍を誘発する要因が無ければ、跳躍はほとんど行わない。
【０１２７】
そして、鉄道や道路等に設けられた横断区間等による動物侵入抑止柵１の切れ目から保護地側に侵入してしまったシカなどの野生動物が、車両等の接近により驚き、跳躍してこれを乗り越えようとする。
【０１２８】
このとき、シカ２の跳躍可能高さは肩高２ａの３倍程度までであるが、容易に超えられる高さは肩高２ａの２倍程度までである。そのため、本実施形態に係る動物侵入抑止柵１では、地面から最上部のワイヤ１２ａまでの高さＨ３は、シカ２の肩高２ａの２倍以下となるように設定されている。
【０１２９】
これにより、シカ２は、車両の接近時等には動物侵入抑止柵１を容易に飛び越え、保護地から脱出することができる。
【０１３０】
また、図２４に示すように、動物侵入抑止柵１から見て地面Ｇの上方、すなわち保護地に侵入した状態にあるシカ２が動物侵入抑止柵１のワイヤ１２ａを飛び越えるにあたり、跳躍すべき高さはＨ６となっている。
【０１３１】
この高さＨ６は、シカ２が容易に跳躍可能な高さであるＨ３よりも更に低いものとなっている。そのため、シカ２が動物侵入抑止柵１を飛び越え、保護地から脱出することが更に容易となっている。
【０１３２】
また、シカ２が動物侵入抑止柵１を飛び越える際には、動物侵入抑止柵１の向こう側を見渡せる視認性のあることが重要となる。シカ２は、跳躍方向の視認性が良く、着地点を視認できる場合には跳躍を行い易いことが知られている。
【０１３３】
ヒトをはじめとする、ある程度知能を有する動物であれば、向こう側が見えない状態で障害物を跳躍して越えることは、恐怖がともなうので跳躍を自制する。
【０１３４】
そのため、本実施形態に係る動物侵入抑止柵１では、上部にワイヤ１２ａ、１２ｂを掛け渡した構成とすることで、動物侵入抑止柵１の上部に視認性の高い空間を確保し、シカ２が跳躍を行い易い状況を実現している。
【０１３５】
なお、この視認性は、シカ２の頭部のサイズに依存している。具体的には、シカ２の頭部は図２３に示す正面視で、縦の長さが２ｂ、横幅が２ｄとなっていて、シカ２はこうした頭部の縦横のサイズを基準として、この縦横のサイズよりも大きな空間がある場合に柵の向こう側を認識して、柵の向こう側への跳躍を意識するようになる。
【０１３６】
そのため、ワイヤ１２ａ−１２ｂ間の距離Ｈ４が、シカ２の頭部の縦の長さ２ｂよりも長くなるように確保されている。また、支柱１１間の距離も、シカ２の頭部の横幅２ｄよりも十分に広くなっている。
【０１３７】
こうして動物侵入抑止柵１の上部において、シカ２の頭部のサイズよりも広い空間を確保することができ、シカ２が柵の向こう側を認識し易くすることで、シカ２が保護地から脱出する際の動物侵入抑止柵１の跳躍を行い易くすることができる。
【０１３８】
具体的には、シカ２がホンシュウジカである場合には、頭部の縦の長さ２ｂと横幅２ｄがともに２０ｃｍ程度であるため、動物侵入抑止柵１のＨ４が２０ｃｍ以上、支柱１１間の距離が２０ｃｍ以上であれば、すなわち、動物侵入抑止柵１の上部に２０ｃｍ四方以上の空間を確保することができれば、シカ２は跳躍を行い易くなる。
【０１３９】
更に、本実施形態に係る動物侵入抑止柵１には、シカ２の脱出時に跳躍した野生動物が動物侵入抑止柵１に衝突し、これが損傷した場合でも、保護地側に破損した構成部品が侵入することを効果的に防止するという効果もある。
【０１４０】
シカ２が保護地側から跳躍して動物侵入抑止柵１に衝突し動物侵入抑止柵１が折れ曲がる場合、この折れ曲がりの方向は保護地の外側に向かうものであるため、保護地内に動物侵入抑止柵１が折れ曲がり、車両等の通行に支障をきたすことはない。
【０１４１】
また、シカ２の衝突により動物侵入抑止柵１が破損し構成部品が脱落することがある。しかし、本実施形態に係る動物侵入抑止柵１では、各構成部品の脱落方向が保護地の外側（＋Ｘ方向）に限られるため、保護地側（−Ｘ方向）に脱落した部品が侵入し、車両等の通行の妨げになることがない。
【０１４２】
具体的には、動物侵入抑止柵１の支柱本体１１１は、基礎杭１１２により地面Ｇに固定されているため、シカ２が保護地の外側に跳躍し衝突した場合には、この跳躍方向、すなわち保護地の外側に向けて湾曲し、保護地側に湾曲することはない。
【０１４３】
また、支柱カバー１１３は、支柱本体１１１にボルト締結されているため、支柱本体１１１とともに保護地の外側に湾曲するか、あるいはボルト締結箇所の破損が生じ脱落する場合でも、シカ２の跳躍方向に向けて脱落するのみである。
【０１４４】
また、支柱１１間に掛け渡されているワイヤ１２ａ、１２ｂ、１２ｃは２本以上の支柱１１にまたがって架け渡されているため、野生動物の衝突により湾曲したり切断したりする場合にも、支柱１１が障害となるため、保護地側に湾曲、屈曲することがない。
【０１４５】
上述した本実施形態に係る動物侵入抑止柵１によると、野生動物の侵入抑止効果を維持しつつ、除草作業時に容易に作業スペースを確保し網の損傷を効果的に防止するとともに、任意の個所において作業者の通用スペースも容易に確保することができる。
【０１４６】
また、野生動物の保護地への侵入を抑止する機能を備えつつ、仮に野生動物が保護地に侵入した場合でも、緊急脱出が容易であり、かつ脱出時に動物侵入抑止柵１が損傷しても、保護地側に破損物が侵入することを効果的に防止することができる。
【０１４７】
なお、上述した実施形態においては、支柱１１間に３本のワイヤ１２ａ、１２ｂ、１２ｃが掛け渡されていたが、本発明においてはこれに限らず、ワイヤの数を野生動物の種類や動物侵入抑止柵１の設置状況に応じて適宜調整することができる。
【０１４８】
また、支柱１１間にワイヤを掛け渡すことで侵入抑止効果を発揮していたが、本発明においてはこれに限らず、野生動物の侵入抑止効果と跳躍時の視認性を確保できる材料であればワイヤでなくともよく、板状部材や鋼線等、好適に用いることができる。また、これらの材質についても、鋼材の他、樹脂や木材、天然繊維等を好適に用いることができる。
【０１４９】
また、野生動物の潜り込みを防止する亀甲金網１３についても、潜り込み防止効果を奏するとともに巻き上げが可能なものであれば好適に用いることができ、シートや繊維よりなるネット等も用いることができる。また、これらの材質についても、鋼材の他、樹脂や天然繊維等を好適に用いることができる。
【０１５０】
また、上述した実施形態においては隣接する２つの支柱１１間に取り付けられる亀甲金網１３は３枚であったが、本発明においてはこれに限らず、１枚、２枚、又は４枚以上であってもよい。
【０１５１】
支柱１１間に取り付けられる亀甲金網１３の枚数が１枚である場合には、亀甲金網１３の幅は、支柱１１と亀甲金網１３との間で隙間が発生しないよう、隣接する亀甲金網１３との重ね代を除いて隣接する２つの支柱１１間の距離と同一の幅である必要がある。
【０１５２】
また、支柱１１間に取り付けられる亀甲金網１３が２枚又は４枚以上である場合にも、上述した実施形態と同様に亀甲金網１３同士はその端部を重ねて配置されるとともに、少なくとも１枚の亀甲金網１３は他の亀甲金網１３よりも保護地の外側に設けられ、保護地の外側に巻き上げることのできる状態とする必要がある。
【０１５３】
また、支柱１１間に取り付けられる亀甲金網１３は何れの枚数であったとしても、１枚の亀甲金網１３を高さＨ１まで巻き上げた場合に作業者が通行できる幅を有する必要がある。
【０１５４】
また、隣接する支柱１１間に複数の亀甲金網１３を取り付ける場合、全ての亀甲金網１３が同一の幅を有する必要はなく、それぞれ異なる幅を有していてもよい。この場合にも、複数の亀甲金網１３はそれぞれ端部を重ねて取り付けられるとともに、少なくとも１枚の亀甲金網１３は他の亀甲金網１３よりも保護地の外側に設けられ、高さＨ１まで巻き上げることが可能である必要がある。また、当該巻き上げ可能な亀甲金網１３の幅は、これを巻き上げたときに作業者が通行できる幅を有する必要がある。
【０１５５】
また、上述した実施形態においては隣接する亀甲金網１３間の端部の重ね合わせは１マス分を重ね合わせることで行われていたが、本発明においてはこれに限らず、２マス以上を重ね合わせて行われてもよい。
【０１５６】
また、上述した実施形態においては亀甲金網１３のワイヤ１２ｂ、１２ｃへの取付、及び亀甲金網１３同士の接続にそれぞれコイル部材３１、３２を用いていたが、本発明においてはこれに限らず、クリップやカラビナ等、任意の取付部材を用いて取り付けることができる。
【０１５７】
また、上述した実施形態においては複数の支柱１１は同一の間隔をあけて立設されていたが、本発明においてはこれに限らず、支柱１１間の間隔がそれぞれ異なるように立設されてもよい。この場合、支柱１１間に取り付けられる亀甲金網１３の枚数を適宜調節してもよい。
【０１５８】
また、隣接する２つの支柱１１間の全てにおいて保護地の外側に巻き上げ可能な亀甲金網１３を設ける必要はなく、任意の支柱１１間に設ける態様としてもよい。
【０１５９】
上述した何れの変形例に係る動物侵入抑止柵１によっても、野生動物の侵入抑止効果を維持しつつ、除草作業時に容易に作業スペースを確保し網の損傷を効果的に防止するとともに、任意の個所において作業者の通用スペースも容易に確保することができる。
【符号の説明】
【０１６０】
１  動物侵入抑止柵
２  シカ
２’  イノシシ
７  係止部材
１１  支柱
１２ａ、１２ｂ、１２ｃ  ワイヤ
１３  亀甲金網
３１、３２  コイル部材
１１１  支柱本体
１１２  基礎杭
１１３  支柱カバー
１１１ａ  水平切欠部
１１１ｂ  鉛直切欠部
１１１ｃ  孔部
１１１ｄ  孔部
１１１ｅ  ウェブ
１１１ｆ  フランジ
１１１ｇ  底部
１１３ａ  切欠部
１１３ｃ  孔部
１１３ｅ  ウェブ
１１３ｆ  フランジ
Ｇ  斜面
【図１】
0006473326.tif 000002
【図２】
0006473326.tif 000003
【図３】
0006473326.tif 000004
【図４】
0006473326.tif 000005
【図５】
0006473326.tif 000006
【図６】
0006473326.tif 000007
【図７】
0006473326.tif 000008
【図８】
0006473326.tif 000009
【図９】
0006473326.tif 000010
【図１０】
0006473326.tif 000011
【図１１】
0006473326.tif 000012
【図１２】
0006473326.tif 000013
【図１３】
0006473326.tif 000014
【図１４】
0006473326.tif 000015
【図１５】
0006473326.tif 000016
【図１６】
0006473326.tif 000017
【図１７】
0006473326.tif 000018
【図１８】
0006473326.tif 000019
【図１９】
0006473326.tif 000020
【図２０】
0006473326.tif 000021
【図２１】
0006473326.tif 000022
【図２２】
0006473326.tif 000023
【図２３】
0006473326.tif 000024
【図２４】
0006473326.tif 000025